(57)【要約】      （修正有）【課題】フィードチェーン装置と共働する藁押さえ装置の外側方を覆う藁押さえカバーを脱穀ハウジングから取り外すことなく、前記藁押さえ装置のメンテナンス作業を行える脱穀装置を提供する。【解決手段】藁押さえ装置の外側方を覆う藁押さえカバー２４０は、脱穀ハウジング４００と連結され、脱穀ハウジング４００との間にリンク機構２６１、２６２が設けられた状態で、上端側が扱室内に収容される扱胴の軸線方向に沿った枢支軸２７回りに回動可能とされる。第１リンクアーム２６１が、第２リンクアーム２６２の長手方向と回動軸線方向とを含む基準平面Ｓの一方面側（Ａ側）から他方面側（Ｂ側）へと移動することにより、第１リンクアーム２６１に連結された藁押さえカバー２４０の自重により第２リンクアーム２６２を下方に押し付ける一方で、係合部材２６４により第２リンクアーム２６２の下方への移動が規制される。【選択図】図１０
2008099642.tif 000002
【特許請求の範囲】
【請求項１】
脱穀ハウジングと、前記脱穀ハウジングによって画される扱室内に収容される扱胴と、穂先側が前記扱室内に突入した状態で穀稈を搬送するフィードチェーン装置と、前記フィードチェーン装置によって搬送される穀稈を該フィードチェーン装置におけるフィードチェーンへ向けて押圧する藁押さえ装置と、前記藁押さえ装置の外側方を覆う藁押さえカバーとを備えた脱穀装置であって、
前記藁押さえカバーは、前記脱穀ハウジングとの間にリンク機構が設けられた状態で、上端側が前記扱胴の軸線方向に沿った枢支軸回り回動可能に前記脱穀ハウジングに連結され、
前記リンク機構は、一端側が前記藁押さえカバーの内表面に連結された第１リンクアームと、一端側が前記第１リンクアームの他端側に前記枢支軸と略平行な回動軸回り回動可能に連結された第２リンクアームと、前記第２リンクアームと係合するように前記脱穀ハウジングに設けられた係合部材とを備え、
前記第１リンクアームは、前記藁押さえカバーが前記藁押さえ装置の外側方を覆う閉塞位置に位置する際には、前記第２リンクアームの長手方向と回動軸線方向とを含む平面を基準として一方面側に位置し、前記藁押さえカバーが前記閉塞位置から前記枢支軸回りに開放側へ回動操作されると、前記第１リンクアームの一端側と前記第２リンクアームの他端側とが離間する側に回動軸回りに回動し、かつ、前記藁押さえカバーが所定の開放位置に位置されると、前記平面を基準として他方面側に位置するように構成されており、
前記係合部材は、前記藁押さえカバーが前記閉塞位置から前記開放位置へ回動操作される際に、前記回動軸の前記枢支軸回りの回転軌跡に従って前記第２リンクアームが移動することを許容し、かつ、前記藁押さえカバーが前記開放位置に位置した時点で、前記第２リンクアームの下方への移動を規制するように構成されていることを特徴とする脱穀装置。
【請求項２】
前記第２リンクアームの他端側には切り欠きが設けられており、
前記係合部材は、前記藁押さえカバーが前記開放位置に位置する際に、前記切り欠きの上端を画する下向き上端面と係合することで、前記第２リンクアームの下方への移動を規制するように構成されていることを特徴とする請求項１に記載の脱穀装置。
【請求項３】
前記係合部材は、前記藁押さえカバーを前記開放位置から前記枢支軸回りに開放側へさらに回動させると、前記切り欠きの下端を画する上向き下端面と係合するように構成されていることを特徴とする請求項２に記載の脱穀装置。
【請求項４】
前記脱穀ハウジングには、前記第２リンクアームの他端側を上下方向移動可能かつ幅方向所定距離移動可能に囲繞するスロットが設けられており、
前記スロットの一端面が前記係合部材として作用することを特徴とする請求項１から３の何れかに記載の脱穀装置。
【請求項５】
前記脱穀ハウジングは、上方が開口とされた脱穀機枠と、前記脱穀機枠の上方開口を閉塞する扱室カバーとを備え、
前記藁押さえカバーは、前記扱室カバーに前記枢支軸回り回動可能に連結されるとともに、前記係合部材は、前記扱室カバーに設けられていることを特徴とする請求項１から４の何れかに記載の脱穀装置。
【請求項６】
前記第１リンクアームには押圧部材が設けられ、前記第２リンクアームには前記押圧部材に対応した当接面が設けられており、
前記藁押さえカバーを前記閉塞位置から前記開放位置へ向けて回動操作する際において該藁押さえカバーが前記開放位置に位置する直前に、前記押圧部材が前記当接面と当接し、この時点から前記開放位置に位置するまでの前記藁押さえカバーの開放側への回動動作の間、前記第２リンクアームは前記第１リンクアームによって前記係合部材へ向けて押動されることを特徴とする請求項１から５の何れかに記載の脱穀装置。
【発明の詳細な説明】
【技術分野】
【０００１】
本発明は、フィードチェーン装置と共働する藁押さえ装置の外側方を覆う藁押さえカバーを備えた脱穀装置に関する。
【背景技術】
【０００２】
脱穀機枠および扱室カバーを含む脱穀ハウジングと、前記脱穀ハウジングによって画される扱室内に収容される扱胴と、穂先側が前記扱室内に突入した状態で穀稈を搬送するフィードチェーン装置と、前記フィードチェーン装置によって搬送される穀稈を該フィードチェーン装置におけるフィードチェーンへ向けて押圧する藁押さえ装置と、前記藁押さえ装置の外側方を覆う藁押さえカバーとを備えた脱穀装置は、従来から公知である。
【０００３】
前記藁押さえカバーは、通常、前記扱室カバーに着脱可能に装着されている。したがって、前記藁押さえ装置のメンテナンス時（注油や高さ調整等）には、前記藁押さえカバーを取り外す必要があった。
【０００４】
この点に関し、前記藁押さえカバーを、上下に分割された上側カバーおよび下側カバーによって形成し、前記上側カバーを前記扱室カバーに固定させ、前記下側カバーを前記上側カバーに脱着可能に装着する構成も提案されている（下記特許文献１参照）。
【０００５】
前記特許文献１に記載の藁押さえカバーにおいては、前記下側カバーだけを取り外すことで前記藁押さえ装置のメンテナンスを行うことができる。従って、前記特許文献１に記載の構成は、前記藁押さえカバー全体を取り外す必要のある構成に比して、前記メンテナンス時の作業効率を向上させることができるが、前記藁押さえ装置のメンテナンス時にカバー（下側カバー）の脱着が必要である点は変わらない。
【特許文献１】特開２０００−３２８３４号公報
【発明の開示】
【発明が解決しようとする課題】
【０００６】
本発明は、前記従来技術に鑑みなされたものであり、フィードチェーン装置と共働する藁押さえ装置の外側方を覆う藁押さえカバーを脱穀ハウジングから取り外すことなく、前記藁押さえ装置のメンテナンス作業を行える脱穀装置の提供を、一の目的とする。
【課題を解決するための手段】
【０００７】
本発明に係る脱穀装置は、脱穀ハウジングと、前記脱穀ハウジングによって画される扱室内に収容される扱胴と、穂先側が前記扱室内に突入した状態で穀稈を搬送するフィードチェーン装置と、前記フィードチェーン装置によって搬送される穀稈を該フィードチェーン装置におけるフィードチェーンへ向けて押圧する藁押さえ装置と、前記藁押さえ装置の外側方を覆う藁押さえカバーとを備えた脱穀装置であって、前記藁押さえカバーは、前記脱穀ハウジングとの間にリンク機構が設けられた状態で、上端側が前記扱胴の軸線方向に沿った枢支軸回り回動可能に前記脱穀ハウジングに連結され、前記リンク機構は、一端側が前記藁押さえカバーの内表面に連結された第１リンクアームと、一端側が前記第１リンクアームの他端側に前記枢支軸と略平行な回動軸回り回動可能に連結された第２リンクアームと、前記第２リンクアームと係合するように前記脱穀ハウジングに設けられた係合部材とを備え、前記第１リンクアームは、前記藁押さえカバーが前記藁押さえ装置の外側方を覆う閉塞位置に位置する際には、前記第２リンクアームの長手方向と回動軸線方向とを含む平面を基準として一方面側に位置し、前記藁押さえカバーが前記閉塞位置から前記枢支軸回りに開放側へ回動操作されると、前記第１リンクアームの一端側と前記第２リンクアームの他端側とが離間する側に回動軸回りに回動し、かつ、前記藁押さえカバーが所定の開放位置に位置されると、前記平面を基準として他方面側に位置するように構成されており、前記係合部材は、前記藁押さえカバーが前記閉塞位置から前記開放位置へ回動操作される際に、前記回動軸の前記枢支軸回りの回転軌跡に従って前記第２リンクアームが移動することを許容し、かつ、前記藁押さえカバーが前記開放位置に位置した時点で、前記第２リンクアームの下方への移動を規制するように構成されていることを特徴とするものである。
【０００８】
上記構成の脱穀装置によれば、穀稈は、フィードチェーン装置によって穂先側が脱穀ハウジングによって画される扱室内に突入した状態で搬送される。この際、藁押さえ装置は、フィードチェーン装置によって搬送される穀稈をフィードチェーン装置におけるフィードチェーンへ向けて押圧する。藁押さえ装置の外側方を覆う藁押さえカバーは、脱穀ハウジングと連結され、脱穀ハウジングとの間にリンク機構が設けられた状態で、上端側が扱室内に収容される扱胴の軸線方向に沿った枢支軸回りに回動可能とされる。
リンク機構の第１リンクアームは、一端側が藁押さえカバーの内表面に連結される。また、リンク機構の第２リンクアームは、一端側が第１リンクアームの他端側に枢支軸と略平行な回動軸回りに回動可能に連結される。第２リンクアームの他端側は、脱穀ハウジングに設けられた係合部材に係合される。
ここで、第１リンクアームは、藁押さえカバーが藁押さえ装置の外側方を覆う閉塞位置に位置する際には、第２リンクアームの長手方向と回動軸線方向とを含む平面を基準として一方面側に位置する。そして、前記藁押さえカバーが前記閉塞位置から前記枢支軸回りに開放側へ回動操作されると、前記第１リンクアームの一端側と前記第２リンクアームの他端側とが離間する側に回動軸回りに回動する。このとき、係合部材により第２リンクアームが回動軸の枢支軸回りの回転軌跡に従って移動することが許容される。その後、藁押さえカバーが所定の開放位置に位置されると、第１リンクアームは、前記平面を基準として他方面側に位置する。このとき、係合部材により、第２リンクアームの下方への移動が規制される。つまり、第１リンクアームが、第２リンクアームの長手方向と回動軸線方向とを含む基準平面の一方面側から他方面側へと移動することにより、第１リンクアームに連結された藁押さえカバーの自重により第２リンクアームを下方に押し付ける一方で、係合部材により第２リンクアームの下方への移動が規制されるため、第２リンクアームの位置が固定され、藁押さえカバーの開放状態が維持される。
【０００９】
このように、藁押さえカバーが藁押さえ装置に対して枢支軸回りに回動可能に構成され、しかも、藁押さえカバーの開放位置においてリンク機構の第１リンクアームが基準となる前記平面の一方面側から他方面側へと移動することにより第２リンクアームを下方に押さえ付けるとともに、この状態において、第２リンクアームと係合部材とが係合することにより、第２リンクアームの下方への移動が規制されるため、フィードチェーン装置と共働する藁押さえ装置の外側方を覆う藁押さえカバーを脱穀ハウジングから取り外すことなく、藁押さえカバーを開放させて、前記藁押さえ装置のメンテナンス作業を行うことができる。しかも、藁押さえカバーの開放状態を維持させることができるため、藁押さえカバーが邪魔にならず、より容易かつ安全に藁押さえ装置のメンテナンス作業を行うことができる。
【００１０】
好ましくは、前記第２リンクアームの他端側には切り欠きが設けられており、前記係合部材は、前記藁押さえカバーが前記開放位置に位置する際に、前記切り欠きの上端を画する下向き上端面と係合することで、前記第２リンクアームの下方への移動を規制するように構成されている。
【００１１】
この場合、藁押さえカバーが開放位置に位置する際、第２リンクアームの他端側に設けられた切り欠きの上端を画する下向き上端面と係合部材とが係合されて、第２リンクアームの下方への移動が規制される。
これにより、藁押さえカバーが開放位置に位置して、藁押さえカバーの自重が切り欠きの下向き上端面から係合部材を押し付けられた際、第２リンクアームと係合部材との係合をより有効に維持することができる。
【００１２】
より好ましくは、前記係合部材は、前記藁押さえカバーを前記開放位置から前記枢支軸回りに開放側へさらに回動させると、前記切り欠きの下端を画する上向き下端面と係合するように構成されている。
【００１３】
この場合、藁押さえカバーを開放位置から枢支軸回りに開放側へさらに回動させた際、切り欠きの下端を画する上向き下端面と係合部材とが係合される。
これにより、藁押さえカバーの開放側への過度の回動によって、第２リンクアームが係合部材から抜け出ることを防止することができる。
【００１４】
好ましくは、前記脱穀ハウジングには、前記第２リンクアームの他端側を上下方向移動可能かつ幅方向所定距離移動可能に囲繞するスロットが設けられており、前記スロットの一端面が前記係合部材として作用するように構成される。
【００１５】
この場合、脱穀ハウジングに設けられたスロットにより、第２リンクアームの他端側が上下方向移動可能かつ幅方向所定距離移動可能に囲繞される。そして、藁押さえカバーの開放位置においてスロットの一端面が係合部材として第２リンクアームと係合する。
これにより、リンク機構の想定外の移動を規制しつつ、藁押さえカバーの開放位置においては第２リンクアームとの係合を有効に維持することができる。
【００１６】
好ましくは、前記脱穀ハウジングは、上方が開口とされた脱穀機枠と、前記脱穀機枠の上方開口を閉塞する扱室カバーとを備え、前記藁押さえカバーは、前記扱室カバーに前記枢支軸回り回動可能に連結されるとともに、前記係合部材は、前記扱室カバーに設けられているように構成される。
【００１７】
この場合、藁押さえカバーが脱穀ハウジングにおける脱穀機枠の上方開口を閉塞する扱室カバーに枢支軸回り回動可能に連結される。また、係合部材が扱室カバーに設けられる。
これにより、扱室カバーを開閉すべく回動した際、藁押さえカバーも扱室カバーとともに回動するため、扱室内のメンテナンス時等において藁押さえカバーが邪魔にならず、整備性をよくすることができる。
【００１８】
好ましくは、前記第１リンクアームには押圧部材が設けられ、前記第２リンクアームには前記押圧部材に対応した当接面が設けられており、前記藁押さえカバーを前記閉塞位置から前記開放位置へ向けて回動操作する際において該藁押さえカバーが前記開放位置に位置する直前に、前記押圧部材が前記当接面と当接し、この時点から前記開放位置に位置するまでの前記藁押さえカバーの開放側への回動動作の間、前記第２リンクアームは前記第１リンクアームによって前記係合部材へ向けて押動されるように構成される。
【００１９】
この場合、藁押さえカバーを閉塞位置から開放位置へ向けて回動操作する際において藁押さえカバーが開放位置に位置する直前に、第１リンクアームに設けられた押圧部材が第２リンクアームに設けられた当接面に当接する。これにより第１リンクアームに対する第２リンクアームの回動軸回りの相対回動が規制される。この時点から開放位置に位置するまでの藁押さえカバーの開放側への回動動作の間、第２リンクアームは、第１リンクアームとの当接状態を維持したまま（第１リンクアームと第２リンクアームとの相対角度が固定されたまま）、第１リンクアームによって係合部材へ向けて押動される。
このように、第１リンクアームの押動部材と第２リンクアームの当接面とが当接することにより、第１リンクアームおよび第２リンクアーム間の相対回動が規制されるため、第１リンクアームと第２リンクアームとが一体的に回動する。したがって、第２リンクアームの回動による係合部材への係合をより確実に行うことができる。
【発明の効果】
【００２０】
本発明に係る脱穀装置によれば、藁押さえカバーが藁押さえ装置に対して枢支軸回りに回動可能に構成され、しかも、藁押さえカバーの開放位置においてリンク機構の第１リンクアームが基準となる前記平面の一方面側から他方面側へと移動することにより第２リンクアームを下方に押さえ付けるとともに、この状態において、第２リンクアームと係合部材とが係合することにより、第２リンクアームと係合部材との係合が保持されるため、フィードチェーン装置と共働する藁押さえ装置の外側方を覆う藁押さえカバーを脱穀ハウジングから取り外すことなく、藁押さえカバーを開放させて、前記藁押さえ装置のメンテナンス作業を行うことができる。しかも、藁押さえカバーの開放状態を維持させることができるため、藁押さえカバーが邪魔にならず、より容易かつ安全に藁押さえ装置のメンテナンス作業を行うことができる。
【発明を実施するための最良の形態】
【００２１】
以下、本発明の好ましい実施の形態につき、添付図面を参照しつつ説明する。図１〜図３は、それぞれ、本発明の一実施形態が適用されたコンバインの斜視図、側面図および正面図である。また、図４は図１のコンバインにおける伝動模式図である。
【００２２】
本実施形態のコンバイン１は、図１〜図３および図４に示すように、本機フレーム２と、前記本機フレーム２に支持された駆動源９と、前記本機フレーム２に連結された左右一対のクローラ式走行装置１０と、前記駆動源９からの回転動力を変速して前記一対のクローラ式走行装置１０へ出力するトランスミッション１５と、前記本機フレーム２の前方において該本機フレーム２に昇降可能に支持された刈取装置３０と、前記刈取装置３０によって刈り取られた穀稈を前記本機フレーム２の左側方において後方へ搬送するフィードチェーン装置２０と、前記フィードチェーン装置２０によって搬送される穀稈に対して脱穀処理を行うように、前記本機フレーム２の左部分に配設された脱穀装置４０と、前記本機フレーム２の右前方部分に配設された運転席５と、脱穀装置によって脱穀された穀粒を収容するグレンタンク６と、前記フィードチェーン装置２０から脱穀済の排藁を受け継ぎ、該排藁を後方へ搬送する排藁搬送装置７とを備えている。なお、フィードチェーン装置２０はフィードチェーンカバー２００（図１〜図３参照）によって覆われている。
【００２３】
前記刈取装置３０は、穀稈を刈り取る刈取部３１と、該刈取部３１によって刈り取られた穀稈をフィードチェーン装置２０へ搬送する搬送部３６とを備えている。
前記刈取部３１は、引起ケースおよび引起タインを含む引起機構３２と、前記引起ケースの下方部から前方へ突出された分草板３３と、前記引起ケースの後方に配設された刈刃３４とを有している。
前記搬送部３６は、上部搬送機構および縦搬送機構を含み、刈り取られた穀稈の株元を前記フィードチェーン装置２０へ受け継ぐように構成されている。
【００２４】
図５および図６は、それぞれ、前記脱穀装置４０および前記フィードチェーン装置５００の斜視図および側面図である。
フィードチェーン装置２０は、刈取装置３０から受け継いだ刈取穀稈を穂先側が脱穀装置４０の扱室（後述）に突入した状態で搬送する。より具体的には、フィードチェーン装置２０は、本機フレーム２に対して回動軸２０１回り回動自在とされたＦＣレール部材２１と、前記駆動源９に作動連結された駆動スプロケット２０２および従動スプロケット２０３を含むＦＣ駆動機構２２と、ＦＣ駆動機構２２およびＦＣレール部材２１に巻き回されたフィードチェーン２３とを備えている。
【００２５】
図７は、本実施形態のコンバインにおける脱穀装置近傍の部分斜視図である。なお、図７においては、下記脱穀機枠４１等の図示を省略している。脱穀装置４０は、図５〜図７に示すように、上方が開口とされた脱穀機枠４１と、前記上方開口を閉塞および開放し得るように脱穀機枠４１に枢支軸４２１回りに回動可能に連結された扱室カバー４２と、フィードチェーン装置２０により搬送された穀稈を脱穀すべく脱穀機枠４１および扱室カバー４２により構成される脱穀ハウジング４００によって画される扱室内に収容される扱胴４５（図４参照）とを備えている。図４に示すように、扱胴４５は、コンバイン１の前後方向に沿って配設された扱胴駆動軸４６に相対回転不能に支持されており、駆動源９からの動力が扱胴駆動軸４６に作動的に伝達されることにより回転駆動する。
なお、図７においては、扱室カバー４２は、脱穀機枠４１の外側面のうち前記フィードチェーン装置２０より上方部分をも覆う構成となっている。
ここで、フィードチェーン装置２０は、ＦＣレール部材２１の車輌幅方向内側面に支持された内側カバー部材２５（図５および図６参照）をさらに具備する。この内側カバー部材２５は、脱穀装置４０の外側面のうち下方部分を覆うように構成されており、本機フレーム２に対してフィードチェーン装置２０を回動軸２０１回りに回動可能とされることにより、脱穀装置４０の左側面下方が開閉可能に構成される。つまり、扱室は、脱穀機枠４１および扱室カバー４２により構成される脱穀ハウジング４００とフィードチェーン装置２０の内側カバー部材２５とにより形成される。
【００２６】
脱穀装置４０は、さらに、図５および図６に示すように、前記フィードチェーン装置２０の上方に位置し、前記フィードチェーン装置２０によって搬送される穀稈を前記フィードチェーン２３に向けて押圧する藁押さえ装置２４を有している。より具体的には、前記藁押さえ装置２４は、穀稈搬送方向に沿った固定レール２４１と、前記フィードチェーン２３と対向配置される可動レール２４２と、前記固定レール２４１および前記可動レール２４２の間に配置され、前記可動レール２４２を前記フィードチェーン２３へ向けて押圧するコイルスプリング等の付勢部材２４３とを備えている。そして、藁押さえ装置２４は、扱室カバー４２に支持されており、扱室カバー４２に連結された藁押さえカバー２４０（図７参照）によって覆われている。
図８は、本実施形態の脱穀装置４０における藁押さえカバー２４０が閉塞位置にある場合の概略部分断面図である。なお、図８は、コンバイン１の幅方向に沿った垂直断面を正面側から見た図であり、理解容易化のために、藁押さえ装置２４は省略している。藁押さえカバー２４０は、図８に示すように、脱穀ハウジング４００との間にリンク機構２６が設けられた状態で、上端側が扱胴４５の軸線方向に沿った枢支軸２７回り回動可能に扱室カバー４２に連結される。
ここで、リンク機構２６は、少なくとも藁押さえカバー２４０の閉塞位置において、フィードチェーン２０で搬送される穀稈の搬送や藁押さえ装置２４の作動を妨げない位置に設けられる。本実施形態において、リンク機構２６は、上下位置に関し、藁押さえ装置２４とフィードチェーン２０とによって挟持搬送される穀稈の搬送経路より上方に位置し、かつ、車輌幅方向位置に関し、藁押さえカバー２４０および扱室の間に位置している。
【００２７】
なお、脱穀装置４０は、脱穀機枠４１の下方に配設された揺動選別装置（図示せず）と、前記揺動選別装置によって選別された穀粒を集約する樋構造体（図示せず）とをさらに備えている。
揺動選別装置は、扱胴４５によって脱穀された被脱穀物から穀粒を、比重選別すると共に、唐箕ファン（図示せず）からの選別風によって風選別するように構成されている。
また、樋構造体は、フィードチェーン装置２０の搬送方向上流側から下流側へ直列配置された一番樋および二番樋（ともに図示せず）を有している。
一番樋および二番樋には、図４に示すように、それぞれ一番コンベア５８ａおよび二番コンベア５９ａが配置されており、一番樋に集約された一番穀粒は一番コンベア５８ａおよび揚穀コンベア５８ｂを介して前記グレンタンク６内に搬入され、二番樋に集約された二番穀粒は二番コンベア５９ａと二番還元コンベア５９ｂを含む二番還元装置とによって、揺動選別装置へ戻されるようになっている。
【００２８】
ここで、本実施形態の脱穀装置４０における藁押さえカバー２４０の開閉に関する構造についてより詳しく説明する。図９および図１０は、それぞれ本実施形態の脱穀装置４０における藁押さえカバー２４０が開放位置直前および開放位置にある場合の概略部分断面図である。図９および図１０も図８と同様、コンバイン１の幅方向に沿った垂直断面を正面側から見た図を表しており、藁押さえ装置２４は省略している。また、図１１は、本実施形態の脱穀装置４０における藁押さえカバー２４０が開放位置にある場合の部分斜視図である。なお、図１１においては、藁押さえカバー２４０およびリンク機構２６のみを図示している。
【００２９】
前記リンク機構２６は、一端側２６１ａが前記藁押さえカバー２４０の内表面に連結された第１リンクアーム２６１と、一端側２６２ａが前記第１リンクアーム２６１の他端側２６１ｂに前記枢支軸２７と略平行な回動軸２６３回り回動可能に連結された第２リンクアーム２６２と、前記第２リンクアーム２６２と係合するように前記脱穀ハウジング４００の扱室カバー４２に設けられた係合部材２６４とを備えている。
係合部材２６４について、より具体的には、脱穀ハウジング４００には、前記第２リンクアーム２６２の他端側２６２ｂを上下方向移動可能かつ幅方向所定距離移動可能に囲繞する（例えば、中心に第２リンクアーム２６２が上下方向に挿通可能な孔を有する角状部材等による）スロット２６４が設けられており、前記スロット２６４の一端面（藁押さえカバー２４０側の内側面）が前記係合部材として作用するように構成される。
なお、本実施形態におけるスロット２６４は、図１１に示すように、脱穀ハウジング４００の扱室カバー４２に固定された固定レール２４１の支持部材２４４に設けられているが、扱室カバー２４に直接設けられることとしてもよい。
【００３０】
前記第１リンクアーム２６１は、前記藁押さえカバー２４０が前記藁押さえ装置２４の外側方を覆う閉塞位置に位置する際（図８）には、前記第２リンクアーム２６２の長手方向と回動軸線方向とを含む平面（図８において二点鎖線で示される平面Ｓ）を基準として一方面側（Ａ側）に位置し、前記藁押さえカバー２４０が前記閉塞位置から前記枢支軸２７回りに開放側へ回動操作されると、前記第１リンクアーム２６１の一端側２６１ａと前記第２リンクアーム２６２の他端側２６２ｂとが離間する側に回動軸２６３回りに回動し、かつ、前記藁押さえカバー２４０が所定の開放位置に位置される（図１０）と、前記平面Ｓを基準として他方面側（Ｂ側）に位置するように構成されている。
しかも、前記係合部材であるスロット２６４は、前記藁押さえカバー２４０が前記閉塞位置から前記開放位置へ回動操作される際に、前記回動軸２６３の前記枢支軸２７回りの回転軌跡（枢支軸２７を中心とする円弧状の軌跡）Ｃに従って前記第２リンクアーム２６２が移動することを許容し、かつ、前記藁押さえカバー２４０が前記開放位置に位置した時点で、前記第２リンクアーム２６２の下方への移動を規制するように構成されている。
【００３１】
より具体的には、前記第２リンクアーム２６２の他端側２６２ｂには切り欠き２６２ｃが設けられており、前記スロット２６４は、前記藁押さえカバー２４０が前記開放位置に位置する際に、前記切り欠き２６２ｃの上端を画する下向き上端面２６２ｃaと係合することで、前記第２リンクアーム２６２の下方への移動を規制するように構成されている。
しかも、前記スロット２６４は、前記藁押さえカバー２４０を前記開放位置から前記枢支軸２７回りに開放側へさらに回動させると、前記切り欠き２６２ｃの下端を画する上向き下端面２６２ｃｂと係合するように構成されている。
【００３２】
上記構成の脱穀装置４０によれば、穀稈は、フィードチェーン装置２０によって穂先側が脱穀ハウジング４００によって画される扱室内に突入した状態で搬送される。この際、藁押さえ装置２４は、フィードチェーン装置２０によって搬送される穀稈をフィードチェーン装置２０におけるフィードチェーン２３へ向けて押圧する。藁押さえ装置２４の外側方を覆う藁押さえカバー２４０は、脱穀ハウジング４００と連結され、脱穀ハウジング４００との間にリンク機構２６が設けられた状態で、上端側が扱室内に収容される扱胴４５の軸線方向に沿った枢支軸２７回りに回動可能とされる。
【００３３】
リンク機構２６の第１リンクアーム２６１は、一端側２６１ａが藁押さえカバー２４０の内表面に連結されている。また、リンク機構２６の第２リンクアーム２６２は、一端側２６２ａが第１リンクアーム２６２の他端側２６２ｂに枢支軸２７と略平行な回動軸２６３回りに回動可能に連結される。第２リンクアーム２６２の他端側２６２ｂは、脱穀ハウジング４００に設けられたスロット２６４に係合される。
【００３４】
ここで、図８に示すように、藁押さえカバー２４０が藁押さえ装置２４の外側方を覆う閉塞位置に位置する際、第１リンクアーム２６１は、第２リンクアーム２６２の長手方向と回動軸２６３の軸線方向とを含む平面Ｓを基準として一方面側（Ａ側）に位置している。この状態から、前記藁押さえカバー２４０を枢支軸２７回りに開放側へ回動操作すると、第１リンクアーム２６１の一端側２６１ａと第２リンクアーム２６２の他端側２６２ｂとが離間する側に回動軸２６３回りに相対回動する。
ここで、スロット２６４は、第２リンクアーム２６２の他端側２６２ｂを上下方向移動可能かつ幅方向所定距離移動可能に囲繞している。したがって、第１リンクアーム２６１の移動に伴って、回動軸２６３が枢支軸２７回りの回転軌跡Ｃに従って移動し、かつ、回動軸２６３の移動に伴って第２リンクアーム２６２が移動することが、脱穀ハウジング４００の扱室カバー４２に設けられたスロット２６４により許容される。この際、スロット２６４は、リンク機構２６の想定外の移動を規制する作用も有している。
このようにして、藁押さえカバー２４０を回動操作させることにより、前記基準平面Ｓの一方面側（Ａ側）に位置する第１リンクアーム２６１の一端側２６１ａが第２リンクアーム２６２の他端側２６２ｂから離間する方向かつ基準平面Ｓの他方面側（Ｂ側）に位置する方向に移動する。
【００３５】
また、前記第１リンクアーム２６１には押圧部材２６１ｃが設けられ、前記第２リンクアーム２６２には前記押圧部材２６１ｃに対応した当接面２６２ｄが設けられている。より具体的には、第１リンクアーム２６１から回動軸２６３の軸線方向に延在した押圧片が押圧部材２６１ｃとして設けられる一方、第２リンクアーム２６２の一端側２６２ａの回動軸２６３取り付け部周辺であって、基準平面Ｓの他方面側（Ｂ側）には、第１リンクアーム２６１が第２リンクアーム２６２に対して、所定の相対角度をとる際に前記押圧部材２６１ｃと当接する当接面２６２ｄが設けられる。
【００３６】
本実施形態において、藁押さえカバー２４０を閉塞位置から開放位置へ向けて回動操作する際において藁押さえカバー２４０が開放位置に位置する直前に（図９）、第１リンクアーム２６１に設けられた押圧部材２６１ｃが第２リンクアーム２６２に設けられた当接面２６２ｄに当接する。
これにより、第１リンクアーム２６１に対する第２リンクアーム２６２の回動軸２６３回りの相対回動が規制される。この時点から開放位置に位置するまでの藁押さえカバー２４０の開放側への回動動作の間、第２リンクアーム２６２は、第１リンクアーム２６１との当接状態を維持したまま（第１リンクアーム２６１と第２リンクアーム２６２との相対角度が固定されたまま）、第１リンクアーム２６１によってスロット２６４へ向けて押動される。
【００３７】
この後、藁押さえカバー２４０が所定の開放位置に位置されると、図１０に示すように、第１リンクアーム２６１は、前記平面Ｓを基準として他方面側（Ｂ側）に位置する。このとき、スロット２６４により、第２リンクアーム２６２の下方への移動が規制される。より具体的には、藁押さえカバー２４０の開放位置において、係合部材であるスロット２６４の一端面と、第２リンクアーム２６２の他端側２６２ｂに設けられた切り欠き２６２ｃの上端を画する下向き上端面２６２ｃａとが係合されて、第２リンクアーム２６２の下方への移動が規制される。
このように、第１リンクアーム２６１が、第２リンクアーム２６２の長手方向と回動軸線方向とを含む基準平面Ｓの一方面側（Ａ側）から他方面側（Ｂ側）へと移動することにより、第１リンクアーム２６１に連結された藁押さえカバー２４０の自重により第２リンクアーム２６２を下方に押し付ける一方で、スロット２６４により第２リンクアーム２６２の下方への移動が規制されるため、第２リンクアーム２６２の位置が固定され、藁押さえカバー２４０の開放状態が維持される。
【００３８】
一方、藁押さえカバー２４０を開放位置から閉塞させる際は、藁押さえカバー２４０を枢支軸２７回りに若干開放側へ回動させて、切り欠き２６２ｃとスロット２６４との係合を解除させた状態で、藁押さえカバー２４０を枢支軸２７回り閉塞側へ回動させる。このとき、回動軸２６３を扱室側へ押動することにより、係合の解除を補助することとしてもよい。
【００３９】
以上のように、藁押さえカバー２４０が藁押さえ装置２４に対して枢支軸２７回りに回動可能に構成され、しかも、藁押さえカバー２４０の開放位置においてリンク機構２６の第１リンクアーム２６１が基準となる前記平面Ｓの一方面側（Ａ側）から他方面側（Ｂ側）へと移動することにより第２リンクアーム２６２を下方に押さえ付けるとともに、この状態において、第２リンクアーム２６２とスロット２６４とが係合することにより、第２リンクアーム２６２の下方への移動が規制されるため、フィードチェーン装置２０と共働する藁押さえ装置２４の外側方を覆う藁押さえカバー２４０を脱穀ハウジング４００から取り外すことなく、藁押さえカバー２４０を開放させて、前記藁押さえ装置２４のメンテナンス作業を行うことができる。しかも、藁押さえカバー２４０の開放状態を維持させることができるため、藁押さえカバー２４０が邪魔にならず、より容易かつ安全に藁押さえ装置２４のメンテナンス作業を行うことができる。
【００４０】
また、藁押さえカバー２４０が開放位置に位置する直前に第１リンクアーム２６１の押動部材２６１ｃと第２リンクアーム２６２の当接面２６２ｄとが当接することにより、第１リンクアーム２６１および第２リンクアーム２６２間の相対回動が規制されるため、第１リンクアーム２６１と第２リンクアーム２６２とが一体的に回動する。したがって、第２リンクアーム２６２の回動によるスロット２６４への係合をより確実に行うことができる。
しかも、藁押さえカバー２４０を開放位置から枢支軸２７回りに開放側へさらに回動させた際、切り欠き２６２ｃの下端を画する上向き下端面２６２ｃｂとスロット２６４とが係合される。
これにより、藁押さえカバー２４０の開放側への過度の回動によって、第２リンクアーム２６２がスロット２６４から抜け出ることを防止することができる。
【００４１】
また、藁押さえカバー２４０が脱穀ハウジング４００の扱室カバー４２に連結され、係合部材であるスロット２６４が固定レール２４１の支持部材２４４を介して扱室カバー４２に設けられることにより、扱室カバー４２を開閉すべく回動した際、藁押さえカバー２４０も扱室カバー４２とともに回動するため、扱室内のメンテナンス時等において藁押さえカバー２４０が邪魔にならず、整備性をよくすることができる。
【００４２】
以上、本発明に係る実施の形態を説明したが、本発明は上記実施の形態に限定されるものではなく、その趣旨を逸脱しない範囲内で種々の改良、変更、修正が可能である。
【図面の簡単な説明】
【００４３】
【図１】本発明の一実施形態が適用されたコンバインの斜視図である。
【図２】本発明の一実施形態が適用されたコンバインの側面図である。
【図３】本発明の一実施形態が適用されたコンバインの正面図である。
【図４】図１のコンバインにおける伝動模式図である。
【図５】脱穀装置およびフィードチェーン装置の斜視図である。
【図６】脱穀装置およびフィードチェーン装置の平面図である。
【図７】本実施形態のコンバインにおける脱穀装置近傍の部分斜視図である。
【図８】本実施形態の脱穀装置における藁押さえカバーが閉塞位置にある場合の概略部分断面図である。
【図９】本実施形態の脱穀装置における藁押さえカバーが開放位置直前にある場合の概略部分断面図である。
【図１０】本実施形態の脱穀装置における藁押さえカバーが開放位置にある場合の概略部分断面図である。
【図１１】本実施形態の脱穀装置における藁押さえカバーが開放位置にある場合の部分斜視図である。
【符号の説明】
【００４４】
１            コンバイン
２４          藁押さえ装置
２６          リンク機構
２７          枢支軸
４０          脱穀装置
４１          脱穀機枠（脱穀ハウジング）
４２          扱室カバー（脱穀ハウジング）
２４０        藁押さえカバー
２６１        第1リンクアーム
２６１ｃ      押圧部材
２６２        第2リンクアーム
２６２ｃ      切り欠き
２６２ｃａ    下向き上端面
２６２ｃｂ    上向き下端面
２６２ｄ      当接面
２６３        回動軸
２６４        スロット（係合部材）
４００        脱穀ハウジング
Ｃ            回転軌跡
Ｓ            基準平面
【図４】
2008099642.tif 000003
【図５】
2008099642.tif 000004
【図６】
2008099642.tif 000005
【図７】
2008099642.tif 000006
【図８】
2008099642.tif 000007
【図９】
2008099642.tif 000008
【図１０】
2008099642.tif 000009
【図１１】
2008099642.tif 000010
【図１】
2008099642.tif 000011
【図２】
2008099642.tif 000012
【図３】
2008099642.tif 000013